(57)【要約】      （修正有）【課題】摂取した食事の正確なカロリー等を算出する装置を提供する。【解決手段】ステップＳ１３で、画像を基にユーザが食事を口にするかを判別する。具体的には、箸で食事を挟むなど、食事を口元に持って来るまでの動作を判別する。ステップＳ２０で、制御部は、摂取カロリー累計から現時点の目標カロリーを減算して残りカロリーを求め、表示部に「○」印と「残り×××kcal」を表示する。ユーザは、表示された情報と共に眼鏡越しに視野内の口にしようとしている食事を見ることができ、口にしようとしている食事が目標カロリー内であることを知る。ステップＳ２２で、制御部は、表示部に「×」印と、「×××kcalオーバー」、「○○○歩分」を表示する。ユーザは、口にしようとしている食事が目標カロリーをオーバーしていること、そのカロリーを換算した歩数を知ることができる。【選択図】図５
2015156190.tif 000002
【特許請求の範囲】
【請求項１】
食事中の画像を撮影する撮影部と、
前記撮影部で撮影された画像を基に食事を口にするかを判別する判別部と、
前記判別部で判別された口にする食事のカロリー若しくは糖質量を取得する取得部と、
前記取得部で取得されたカロリー若しくは糖質量を累計して摂取カロリー若しくは摂取糖質量を求め、目標カロリー若しくは目標糖質量と比較する比較部と、
前記比較部で前記目標カロリー若しくは前記目標糖質量を超えると判断された場合に、報知する報知部とを備える健康管理装置。
【請求項２】
請求項１に記載の健康管理装置において、
前記報知部は、前記目標カロリー若しくは前記目標糖質量を超える食事と、前記目標カロリー若しくは前記目標糖質量を超えない食事を識別して報知することを特徴とする健康管理装置。
【請求項３】
請求項１または請求項２のいずれか一項に記載の健康管理装置において、
前記報知部は、所定期間の前記摂取カロリー若しくは前記摂取糖質量を一覧出力することを特徴とする健康管理装置。
【請求項４】
請求項１〜３のいずれか一項に記載の健康管理装置において、
前記撮影部は、配膳された食事を撮影し、
前記取得部は、前記配膳された食事の各々のカロリー若しくは糖質量を取得し、
前記比較部は、前記配膳された食事のカロリーと前記目標カロリーとを比較し、若しくは前記配膳された食事の糖質量と前記目標糖質量とを比較し、
前記報知部は、前記比較の結果に応じて、各食事ごとに、前記目標カロリー若しくは前記目標糖質量を超える食事と、前記目標カロリー若しくは前記目標糖質量を超えない食事とを識別して報知することを特徴とする健康管理装置。
【請求項５】
請求項１〜４のいずれか一項に記載の健康管理装置において、
前記目標カロリー若しくは前記目標糖質量を超えた場合に、超えた分のカロリー若しくは糖質量を運動量に換算する運動量換算部を更に備え、
前記報知部は、前記目標カロリー若しくは前記目標糖質量を超える食事を報知する場合に、前記運動量を合わせて表示することを特徴とする健康管理装置。
【請求項６】
請求項１〜５のいずれか一項に記載の健康管理装置において、
運動量を計測する計測部と、
前記計測部で計測された運動量を基に前記目標カロリー若しくは前記目標糖質量を更新する更新部とを更に備え、
前記比較部は、前記更新された目標カロリー若しくは目標糖質量と比較することを特徴とする健康管理装置。
【請求項７】
請求項１〜６のいずれか一項に記載の健康管理装置において、
健康管理装置を構成する少なくとも前記撮影部、前記判別部、前記報知部はウェアラブル端末装置であることを特徴とする健康管理装置。  
【請求項８】
コンピュータに、
食事中の画像を撮影する撮影手順、
前記撮影手順で撮影された画像を基に食事を口にするかを判別する判別手順、
前記判別手順で判別された口にする食事のカロリー若しくは糖質量を取得する取得手順、
前記取得手順で取得されたカロリー若しくは糖質量を累計して摂取カロリー若しくは摂取糖質量を求め、目標カロリー若しくは目標糖質量と比較する比較手順、
前記比較手順で前記目標カロリー若しくは前記目標糖質量を超えると判断された場合に、報知する報知手順を実行させるための健康管理プログラム。
【発明の詳細な説明】
【技術分野】
【０００１】
本発明は、摂取した食事のカロリー等を管理する健康管理装置および健康管理プログラムに関する。
【背景技術】
【０００２】
摂取する食事をカメラ付き携帯電話により撮影して摂取食事画像データを得、これを食事中の飲食店を表す飲食店情報とともに摂取カロリー計算支援装置に送信し、飲食店情報および摂取食事画像データに基づいて、複数の食事画像とカロリーとを対応付けたカロリーデータベースを参照して、摂取食事画像データに対応する対応食事画像データおよびそのカロリー情報を取得するものがある（特許文献１）。
【先行技術文献】
【特許文献】
【０００３】
【特許文献１】特開２００４−１１８５６２号公報
【発明の概要】
【発明が解決しようとする課題】
【０００４】
しかし、特許文献１の装置では、撮影された画像で表される食事の全てを実際に摂取したとは限らないので、摂取した食事の正確なカロリー等を管理できない欠点があった。
【課題を解決するための手段】
【０００５】
請求項１に記載の健康管理装置は、食事中の画像を撮影する撮影部と、撮影部で撮影された画像を基に食事を口にするかを判別する判別部と、判別部で判別された口にする食事のカロリー若しくは糖質量を取得する取得部と、取得部で取得されたカロリー若しくは糖質量を累計して摂取カロリー若しくは摂取糖質量を求め、目標カロリー若しくは目標糖質量と比較する比較部と、比較部で目標カロリー若しくは目標糖質量を超えると判断された場合に、報知する報知部とを備える。
請求項８に記載の健康管理プログラムは、コンピュータに、食事中の画像を撮影する撮影手順、撮影手順で撮影された画像を基に食事を口にするかを判別する判別手順、判別手順で判別された口にする食事のカロリー若しくは糖質量を取得する取得手順、取得手順で取得されたカロリー若しくは糖質量を累計して摂取カロリー若しくは摂取糖質量を求め、目標カロリー若しくは目標糖質量と比較する比較手順、比較手順で目標カロリー若しくは目標糖質量を超えると判断された場合に、報知する報知手順を実行させる。
【発明の効果】
【０００６】
本発明によれば、摂取した食事の正確なカロリー等を管理することが可能となる。
【図面の簡単な説明】
【０００７】
【図１】実施の形態における健康管理装置の外観図である。
【図２】健康管理装置の構成を示すブロック図である。
【図３】記憶部の記憶状態図である。
【図４】消費カロリーを算出するフローチャートである。
【図５】摂取カロリーを算出するフローチャートである。
【図６】口にする食事を示す表示部の表示状態図である。
【図７】複数の食事を示す表示部の表示状態図である。
【図８】出力された一覧表を示す図である。
【図９】一覧表を出力するフローチャートである。
【発明を実施するための形態】
【０００８】
以下、図面を参照しながら、本発明の一実施の形態を説明する。図１は健康管理装置の外観図である。
【０００９】
健康管理装置１は眼鏡型のウェアラブル端末装置である。健康管理装置１は、撮影部１１、表示部１２、加速度計１３、回路部１４を備えている。
【００１０】
撮影部１１は、ウェアラブル端末装置を装着したユーザの視野内の食事を動画若しくは静止画として撮影する。表示部１２は、眼鏡レンズに設けられたハーフミラー層１２ａに映像を投影することにより、情報を表示する。ユーザは、表示された情報と共に眼鏡越しに視野内の食事などを見ることができる。加速度計１３は、ウェアラブル端末装置を装着したユーザが歩いたことを検知して、その歩数を取得する。回路部１４は後述する回路を内蔵する。
【００１１】
図２は、健康管理装置１の構成を示すブロック図である。図１と同一箇所には同一の符号を付してその説明を省略する。回路部１４は、制御部１５、データベース１６、通信部１７、記憶部１８を備える。
【００１２】
制御部１５は、ＣＰＵおよびその他の周辺回路等により構成され、健康管理装置１の全体の制御を行う。制御部１５は、撮影部１１内の撮像素子から取得した画像信号より画像を生成する。また、制御部１５は、表示部１２内の液晶素子に対して、ハーフミラー層１２ａに投影するための表示データを表示させる。さらに、制御部１５は、加速度計１３で検知した歩数値を取得する。
【００１３】
データベース１６は、食事の画像とその食事のカロリーを対応付けて多数記憶する。制御部１５は、撮影部１１で撮影された画像とデータベース１６内の画像とを照合し、一致する画像と対応して記憶されているカロリーを読み出す。
【００１４】
通信部１７は、図示省略するサーバと無線通信回線を介して接続する。記憶部１８は、後述するフローチャートで示すプログラムを記憶し、このプログラムは、制御部１５のＣＰＵが実行する。また、記憶部１８には、撮影部１１で撮影された画像が一時的に記憶される他、後述する毎日の摂取カロリー累計などが記憶される。
【００１５】
図３は、記憶部１８の摂取カロリー累計などの記憶状態を示す図である。日付１８ａ別に、摂取カロリー累計１８ｂ、目標カロリー１８ｃ、および消費カロリー累計１８ｄを記憶する。摂取カロリー累計１８ｂは、１日の摂取カロリーの累計値であり、１日内では、その日に既に摂取した摂取カロリーを示す。例えば、朝食と昼食を摂取した後であれば、朝食と昼食を合計した摂取カロリーである。目標カロリー１８ｃは、ユーザが予め記憶した１日の目標カロリーである。消費カロリー累計１８ｄは、１日の消費カロリーの累計値であり、加速度計１３で検知した歩数をカロリーに換算して求めた値である。
【００１６】
以下、本発明の一実施の形態の動作を、図４、図５、図９に示すフローチャート、図６、図７に示す表示状態図を参照して説明する。
【００１７】
図４は、消費カロリーを算出するフローチャートである。このフローチャートで示すプログラムは記憶部１８に記憶され、このプログラムは、制御部１５のＣＰＵが実行する。
ステップＳ１で、制御部１５は、加速度計１３で検知した歩数値を取得する。ステップＳ２で、制御部１５は、取得した歩数値を記憶部１８の所定エリアに累計して記憶する。ステップＳ３で、制御部１５は、所定エリアに累計して記憶された歩数値が所定値になったかを判別する。歩数値が所定値になっていなければステップＳ１に戻り、歩数値を取得する。
【００１８】
歩数値が所定値になっていればステップＳ４に進み、制御部１５は、所定値の歩数値を消費カロリーに換算する。具体的には、ユーザ毎に体重、歩行速度など必要なパラメータを予め記憶部１８に記憶しておき、ユーザの歩数値、体重、および歩行速度などに基づいて、消費カロリーを換算する。例えば、ウォーキングは１分間に１００歩（分速６５ｍ）のペースで１０分間で消費カロリーは約３３kcalである。ステップＳ５で、制御部１５は、換算された消費カロリーを、図３に示す記憶部１８のその日の消費カロリー累計１８ｄに累計して記憶する。ステップＳ６で、制御部１５は、記憶部１８の所定エリアに累計して記憶されている上記歩数値をクリアして、ステップＳ１に戻り、新たに歩数値を取得する。
【００１９】
以上のように健康管理装置１であるウェアラブル端末装置を装着したユーザの消費カロリーはリアルタイムに消費カロリー累計１８ｄに記憶される。なお、加速度計１３は、健康管理装置１と一体に構成されるものに限らず、別体に構成して、ユーザの身体に装着するものであればよい。
【００２０】
図５は、摂取カロリーを算出するフローチャートである。このフローチャートで示すプログラムは記憶部１８に記憶され、このプログラムは、制御部１５のＣＰＵが実行する。
ステップＳ１１で、制御部１５は、撮影部１１により、ウェアラブル端末装置を装着したユーザの視野内の食事を動画若しくは静止画として撮影する。静止画の場合は一定間隔ごとに静止画を取得する。撮影した画像は一時的に記憶部１８に記憶する。ステップＳ１２で、制御部１５は、撮影した画像を基に、配膳された食事が写っているか、すなわち視野内に食事があるかを判別する。食事が写っていなければ、ステップＳ１１に戻り、撮影を継続する。
【００２１】
食事が写っていれば、ステップＳ１３で、制御部１５は、画像を基にユーザが食事を口にするかを判別する。食事を口にするかの判別は、撮影した画像を基に行うが、具体的には、箸で食事を挟む、スプーンで食事をすくう、ホークで食事を刺すなど、食事を口元に持って来るまでの動作を判別する。この時点では、食事を実際に口に入れておらず、口に入れる前の動作である。
【００２２】
ステップＳ１３で、食事を口にすると判別された場合は、ステップＳ１４に進む。ステップＳ１４で、制御部１５は、口にする食事の画像をデータベース１６内の画像と照合する。データベース１６には、食事の画像とその食事のカロリーを対応付けて多数記憶している。そして、ステップＳ１５で、制御部１５は、口にする食事の画像を基にデータベース１６と照合して、食事の種類と量を特定する。ステップＳ１６で、制御部１５は、照合した一致する画像と対応して記憶されているカロリーを食事の量に応じて読み出す。例えば、ユーザが唐揚げを箸で挟んで口元へ近づけた画像から、食事の種類が唐揚げであることがわかり、唐揚げの量に対応するカロリーを算出する。
【００２３】
ステップＳ１７で、制御部１５は、食事のカロリーを記憶部１８の摂取カロリー累計１８ｂに累計して記憶する。ステップＳ１８で、制御部１５は、記憶部１８の目標カロリー１８ｃ、消費カロリー累計１８ｄを基に、現時点の目標カロリーを求める。具体的には、［目標カロリー１８ｃ］＋［消費カロリー累計１８ｄ］を算出して、一時的に記憶部１８の所定エリアに記憶し、これを現時点の目標カロリーとする。ステップＳ１９で、制御部１５は、記憶部１８の摂取カロリー累計１８ｂが現時点の目標カロリーを超えているかを判別する。
【００２４】
摂取カロリー累計１８ｂが現時点の目標カロリーを超えていなければ、ステップＳ２０に進み、制御部１５は、摂取カロリー累計１８ｂから現時点の目標カロリーを減算して残りカロリーを求め、表示部１２に「○」印と「残り×××kcal」を表示する。ユーザは、表示された情報と共に眼鏡越しに口にしようとしている食事を見ることができ、同時に、口にしようとしている食事が目標カロリー内であり、目標カロリーに対する残りカロリーを知ることができる。
【００２５】
ステップＳ１９で、摂取カロリー累計１８ｂが現時点の目標カロリーを超えていれば、ステップＳ２１に進み、制御部１５は、現時点の目標カロリーから摂取カロリー累計１８ｂを減算して余分カロリーを求め、この余分カロリーを歩数に換算する。具体的には、ユーザ毎に体重、歩行速度など必要なパラメータを予め記憶部１８に記憶しておき、余分カロリーをユーザの体重、および歩行速度などに基づいて歩数に換算する。
【００２６】
ステップＳ２２で、制御部１５は、表示部１２に「×」印と、「×××kcalオーバー」、「○○○歩分」を表示する。図６はその表示例である。ユーザは、表示された情報と共に眼鏡越しに口にしようとしている食事を見ることができ、口にしようとしている食事が目標カロリーをオーバーしていることを、また、そのカロリーおよびカロリーを換算した歩数を知ることができる。
【００２７】
ステップＳ２０、ステップＳ２２の表示部１２による表示は、一定時間行われる。その後、ステップＳ２３に進み、制御部１５は、撮影部１１により、その後の画像を取り込み、口にしようとしている食事を実際に口に入れて摂取したかを判別する。具体的には、箸で食事を挟むなどして食事を口元に持って来た後、これを口の中に入れて箸で挟んだ食事が無くなったかを判別する。
【００２８】
ステップＳ２３で、実際に摂取した場合は、ステップＳ１１に戻る。ステップＳ２３で、実際に摂取していない場合、すなわち、箸で食事を挟むなどして食事を口元に持って来た後、そのまま元の皿の上に戻した場合は、ステップＳ２４に進み、制御部１５は、記憶部１８の摂取カロリー累計１８ｂからステップＳ１６で算出したカロリーを減算して、摂取カロリー累計１８ｂを元へ戻す。その後、ステップＳ１１に戻る。
【００２９】
ステップＳ１３で、食事を口にしないと判別された場合は、ステップＳ２５に進む。ステップＳ２５で、制御部１５は、視野内の食事の画像をデータベース１６内の画像と照合する。視野内の食事の画像には配膳された食事が多数写っているが、その食事の一つとデータベース１６内の画像と照合する。データベース１６には、食事の画像とその食事のカロリーを対応付けて多数記憶している。そして、ステップＳ２６で、制御部１５は、食事の画像を基にデータベース１６と照合して、食事の種類と量を特定する。ステップＳ２７で、制御部１５は、照合した一致する画像と対応して記憶されているカロリーを食事の量に応じて読み出し、カロリーを算出する。
【００３０】
ステップＳ２８で、制御部１５は、視野内に多数写っている配膳された食事の画像について全ての照合を完了したかを判別する。全ての照合が完了していない場合はステップＳ２５に戻る。全ての照合が完了している場合はステップＳ２９に進み、制御部１５は、各食事ごとに記憶部１８の摂取カロリー累計１８ｂと加算し、その合計カロリーを記憶部１８の食事ごとの所定エリアに記憶する。
【００３１】
ステップＳ３０で、制御部１５は、記憶部１８の目標カロリー１８ｃ、消費カロリー累計１８ｄを基に、現時点の目標カロリーを求める。具体的には、［目標カロリー１８ｃ］＋［消費カロリー累計１８ｄ］を算出して、一時的に記憶部１８の所定エリアに記憶し、これを現時点の目標カロリーとする。
【００３２】
次のステップＳ３１で、制御部１５は、食事ごとの上記合計カロリーが現時点の目標カロリーを超えるかを判別する。超えていなければステップＳ３２へ進み、超えていればステップＳ３３へ進む。
【００３３】
ステップＳ３２で、制御部１５は、食事ごとの所定エリアに記憶した上記合計カロリーから現時点の目標カロリーを減算して残りカロリーを求める。そして、図７に示すように、表示部１２に「○」印と「残り×××kcal」を表示する。ユーザは、表示された情報と共に眼鏡越しに食事を見ることができ、その食事が目標カロリー内であることを知ることができる。
【００３４】
ステップＳ３３で、制御部１５は、食事ごとの所定エリアに記憶した上記合計カロリーから現時点の目標カロリーを減算して余分カロリーを求め、この余分カロリーを歩数に換算する。そして、ステップＳ３４で、制御部１５は、表示部１２に「×」印と、「×××kcalオーバー」、「○○○歩分」を表示する。図７はその表示例である。ユーザは、表示された情報と共に眼鏡越しに食事を見ることができ、食事が目標カロリーをオーバーすること、およびそのカロリーを換算した歩数を知ることができる。
【００３５】
その後、ステップＳ３５に進み、制御部１５は、全ての食事について算出したかを判別し、算出していなければ、ステップＳ２９に戻り、算出していればステップＳ１１に戻る。ステップＳ１１に戻る前に、ステップＳ３２、ステップＳ３４の表示部１２による表示は、一定時間行われる。
【００３６】
このように、食事を口にする前であっても、視野内に配置された各食事について、既に摂取したカロリーと比較して、摂取すればカロリーオーバーになる食事とそうではない食事を識別して表示することができる。
【００３７】
次に、図３に示した記憶部１８の摂取カロリー累計１８ｂ等を図８に示す一覧表１９として表示部１２へ出力する場合の動作を説明する。図９は所定期間の一覧表１９を出力するフローチャートである。このフローチャートで示すプログラムは記憶部１８に記憶され、このプログラムは、制御部１５のＣＰＵが実行する。
【００３８】
ステップＳ４０で、制御部１５は、記憶部１８を参照して、日付ごとにカロリー差を算出する。すなわち、［摂取カロリー累計１８ｂ］−［目標カロリー１８ｃ］−［消費カロリー累計１８ｄ］を算出して、一日のカロリーが取り過ぎであるか（＋であるか）不足しているか（−であるか）を算出する。ステップＳ４１で、制御部１５は、所定期間の全ての日付についてカロリー差を算出したか判別し、算出していなければステップＳ４０へ戻る。全ての日付について算出した場合は、ステップＳ４２で、制御部１５は、図８に示す一覧表１９を表示部１２に出力する。すなわち、日付、摂取カロリー累計、目標カロリー、消費カロリー累計、カロリー差を出力する。所定期間は、例えば１週間、１ヶ月、１年間である。この一覧表１９を基にユーザは日々のカロリーの増減を知り、健康管理に役立たせることができる。
【００３９】
（変形例）
本発明は、以上説明した実施の形態を次のように変形して実施することができる。
（１）健康管理装置１はデータベース１６も含めて眼鏡型のウェアラブル端末装置として説明したが、一部の構成は図示省略したサーバに持たせてもよい。例えば、データベース１６はサーバに備えてもよく、この場合、健康管理装置１は通信部１７を介してサーバと通信を行い、データベース１６を参照する。また、食事の画像を通信部１７を介してサーバに送信し、サーバにより食事の画像とデータベース１６内の画像の照合を行ってもよい。
【００４０】
（２）一覧表の出力は表示部１２に出力する例で説明したが、通信部１７を介して接続されたサーバやプリンタへ出力するようにしてもよい。
【００４１】
（３）食事の画像を照合してカロリーを求める例で説明したが、レストランや居酒屋では料理ごとにカロリーが決まっている場合がある。このような場合は、レストランや居酒屋のメニュー画像とそのカロリー情報をデータベースに保存することにより、後の照合では照合を容易にし、より正確なカロリーを読み出すことができる。
【００４２】
（４）図６、７に示すように、表示部１２に「×」印や「○」印等を食事に対応付けて表示し、摂取すればカロリーオーバーになる食事とそうではない食事を識別して表示した。「×」印や「○」印等は各食事の横に表示したが、各食事に重畳して表示してもよい。また、「×」印や「○」印に限らず、カロリーオーバーになる食事とそうではない食事を識別できればよく、例えば、カロリーオーバーになる食事の表示部分は表示色を濃い色で塗りつぶし、その色の濃さが濃くなるほどカロリーオーバーの程度が高いことを示してもよい。
【００４３】
（５）図６、７に示すように、表示部１２に「×」印と、「×××kcalオーバー」、「○○○歩分」を表示する例で説明したが、食事をどれだけ摂ればカロリーオーバーにならないかを表示してもよい。例えば、「この食事を１/３摂ったらＯＫです」と表示する。この場合は、制御部１５は、食事のカロリーとユーザの摂取可能なカロリーとに基づいてカロリーオーバーにならない食事の量を算出する。
【００４４】
（６）消費カロリーは、加速度計１３で検知した歩数値に基づいて算出する例で説明した。しかし、その他のトレーニング機器、フィットネス機器等と連携して消費カロリーを取得するようにしてもよい。
【００４５】
（７）食事とカロリーの関係を例に説明したが、食事と糖質量との関係も同様に管理することができる。例えば、健康管理装置１は、ユーザが食事中の画像を撮影する撮影部と、撮影部で撮影された画像を基に食事を口にするかを判別する判別部と、判別部で判別された口にした食事の糖質量を取得する取得部と、取得部で取得された糖質量を累計して摂取糖質量を求め、目標糖質量と比較する比較部と、比較部で目標糖質量を超えると判断された場合に、報知する報知部とを備える。
また、報知部は、目標糖質量を超える食事と、目標糖質量を超えない食事を識別して報知する。また、報知部は、所定期間の摂取糖質量を一覧出力する。
また、撮影部は、配膳された食事を撮影し、取得部は、配膳された食事の各々の糖質量を取得し、比較部は、配膳された食事の糖質量と目標糖質量を比較し、報知部は、比較の結果に応じて、各食事ごとに、目標糖質量を超える食事と、目標糖質量を超えない食事とを識別して報知する。
また、目標糖質量を超えた場合に、超えた分の糖質量を運動量に換算する運動量換算部を更に備え、報知部は、目標糖質量を超える食事を報知する場合に、運動量を合わせて表示する。
また、運動量を計測する計測部と、計測部で計測された運動量を基に目標糖質量を更新する更新部を更に備え、比較部は、更新された目標糖質量と比較する。
【００４６】
以上説明した実施の形態によれば、次の作用効果が得られる。
（１）健康管理装置１は、ユーザが食事中の画像を撮影する撮影部１１と、撮影部１１で撮影された画像を基に食事を口にするかを判別する判別部（制御部１５、ステップＳ１３）と、判別部で判別された口にした食事のカロリー若しくは糖質量を取得する取得部（制御部１５、ステップＳ１６）と、取得部で取得されたカロリー若しくは糖質量を累計して摂取カロリーを求め、目標カロリー若しくは目標糖質量と比較する比較部（制御部１５、ステップＳ１９）と、比較部で目標カロリー若しくは目標糖質量を超えると判断された場合に、報知する表示部１２とを備える。したがって、摂取した食事の正確なカロリー若しくは糖質量を管理することが可能となる。
【００４７】
本発明は、上記の実施の形態に限定されるものではなく、本発明の特徴を損なわない限り、本発明の技術思想の範囲内で考えられるその他の形態についても、本発明の範囲内に含まれる。また、上述の実施の形態と複数の変形例を組み合わせた構成としてもよい。
【符号の説明】
【００４８】
１  健康管理装置
１１  撮影部
１２  表示部
１３  加速度計
１４  回路部
１５  制御部
１６  データベース
１７  通信部
１８  記憶部
【図１】
2015156190.tif 000003
【図２】
2015156190.tif 000004
【図３】
2015156190.tif 000005
【図４】
2015156190.tif 000006
【図５】
2015156190.tif 000007
【図６】
2015156190.tif 000008
【図７】
2015156190.tif 000009
【図８】
2015156190.tif 000010
【図９】
2015156190.tif 000011